(57)【特許請求の範囲】
【請求項１】
建物躯体に立設される複数本の支柱と、支柱間に固定されるパネルユニットとからなり、
各支柱の外側の下方位置には、外側に向けてブラケットが設けられるとともに、複数のブラケット間に亘ってパネル下支持手段が固定されており、
パネル下支持手段は、ブラケット上面に固定される水平部と水平部の内側から立上がる垂直部とにより形成され、
パネルユニットは、パネルと、パネルの下辺に固定されるパネル下枠とを備え、パネル下枠の内側には下方に向けて下係合部が延設されており、
パネル下枠は、パネル下支持手段の水平部に載置されるとともに、下係合部がパネル下支持手段の垂直部の内側に配置されて固定されてなる
ことを特徴とする手摺り
【発明の詳細な説明】
【技術分野】
【０００１】
建物のバルコニー等に設けられ、ガラス板等を備えるパネルユニットにより形成される手摺りに関する。
【背景技術】
【０００２】
従来、建物のバルコニー等には手摺りが設けられているが、近年、デザイン性、採光性に優れたガラスパネルによって形成された手摺りが開発され、普及している。
このようなガラス張りの手摺りをバルコニーに対して形成するには、バルコニーに固定された支柱の上下位置に上枠及び下枠を取付ける工事を行った後、上枠及び下枠に対してガラス板を固定し、上枠及び下枠とガラス板との間をシールして養生することを現場で行う必要があった。
【先行技術文献】
【特許文献】
【０００３】
【特許文献１】特開２０１０−２０９５９８号公報
【発明の概要】
【発明が解決しようとする課題】
【０００４】
このように、手摺りをガラス板と上枠及び下枠との間に直接設置する工法では、ガラス専門の担当者によりガラスを搬入して取付け、シール作業を行う必要があり、施工スケジュールに制約が生じやすく、また、養生等により施工期間の短縮も難しかった。
これに対して、ガラス板に框体を取り付けて手摺りの支柱に取り付けることが考えられるが、框体を支柱に直接取り付ける際にガラスパネルを支持する必要があり、作業が大変であるし、支柱に対してブラケット等の取付補助手段を介して取付ける場合であっても、ブラケットに対する框体の固定は手摺りの低い位置で行われるため、ビスによる固定作業が難しく、固定作業が不十分である場合には、ビス等の緩みによりブラケットからガラスパネルが落下する可能性もあった。
【０００５】
本発明は、上記の事情を鑑みたものであり、手摺りの支柱に対してブラケットを介してガラスパネルを取り付けるに際して、ブラケットに対するガラスパネルの取付作業を容易にするとともに、ガラスパネルの框体とブラケットとを固定するネジ止めが緩んでも、ブラケットからガラスパネルが落下することを防止できる手摺りを提供することを目的とする。
【課題を解決するための手段】
【０００６】
本発明は、建物躯体に立設される複数本の支柱と、支柱間に固定されるパネルユニットとからなり、各支柱の外側の下方位置には、外側に向けてブラケットが設けられるとともに、複数のブラケット間に亘ってパネル下支持手段が固定されており、パネル下支持手段は、ブラケット上面に固定される水平部と水平部の内側から立上がる垂直部とにより形成され、パネルユニットは、パネルと、パネルの下辺に固定されるパネル下枠とを備え、パネル下枠の内側には下方に向けて下係合部が延設されており、パネル下枠は、パネル下支持手段の水平部に載置されるとともに、下係合部がパネル下支持手段の垂直部の内側に配置されて固定されてなることを特徴とする。
【発明の効果】
【０００７】
本発明によれば、現場でガラス板を単体で扱う必要がなくなり、現場における専門の職人による作業を省くことができ、施工を容易に行うことが可能となるとともに、ネジ等の固着手段の緩みに伴うパネルユニットの落下を防止できる。
【図面の簡単な説明】
【０００８】
【図１】本発明の実施形態に係る手摺りの斜視図である。
【図２】本発明の実施形態に係る手摺りの縦断面図である。
【図３】本発明の実施形態に係る手摺りの躯体に対する支柱の取付部分の図であり、（ａ）は横断面図、（ｂ）は縦断面図である。
【図４】本発明の実施形態に係る手摺りの縦断面図であって、（ａ）はパネルの上部を支持する部分の拡大断面図であり、（ｂ）はパネルの下部を支持する部分の拡大断面図である。
【図５】本発明の実施形態に係る手摺りのパネルを説明するための図であり、（ａ）は、正面図、（ｂ）は上縁部分の縦断面図、（ｃ）は下縁部分の縦断面図である。
【図６】（ａ）〜（ｆ）は、本発明の実施形態に係る手摺りを取付ける方法を説明するための斜視図である。
【図７】本発明の他の実施形態に係る手摺りの図であり、（ａ）は手摺り端部の外観図、（ｂ）は、手摺り上部の縦断面図である。
【発明を実施するための形態】
【０００９】
（手摺りの全体構成）
本発明を、バルコニーの屋外側縁部に立ち上がるパラペットの上面に設置される手摺りの実施形態を用いて説明する。
本発明の実施形態に係る手摺りは、図１に示すように、建物のバルコニーの外周縁部を立ち上げて形成されたパラペットＰの上面に設置されており、図２に示すように、建物躯体に固定される支柱１と、支柱１の上方位置に固定されるパネル上支持手段２と、支柱１の下方位置に固定されるブラケット３と、ブラケット３に取り付けられるパネル下支持手段４と、パネル上支持手段２及びパネル下支持手段４により保持される複数枚のパネルユニット５と、パネル上支持手段２及びパネルユニット５の上面を覆う笠木６とを備えている。
【００１０】
図３に示すように、建物躯体に固定される支柱１は、パラペットＰに固定される固定金具１１と、固定金具１１に装着されて支柱１の支柱１の強度を向上させる補強金具１２と、補強金具１２の外周に装着されて建物躯体に立設される支柱本体１３とから構成されている。
支柱１の固定金具１１は、支柱１を固定するために十分な厚さを備える板状部材からなり、バルコニーを形成するパラペットＰ等に対してボルト等により固定される固定部１１１と、固定部１１１の上方に延設されてバルコニーのパラペットＰ上面から上方に立設する支持部１１２とから構成される。
【００１１】
支柱１の補強金具１２は、例えばアルミ合金による押出形材により形成され、その断面形状は、中空矩形の中空部の四隅に突片を有する形状であり、手摺りの支柱１の高さと略等しい長さを有する長尺部材として形成されている。補強金具１２の中空部の断面の形状、寸法は、固定金具１１の支持部１１２の断面と略同一の形状、寸法をしており、固定金具１１の支持部１１２に補強金具１２の中空部を装着してネジ等の固定手段ｎにより固定することで、補強金具１２がバルコニーのパラペットＰの上面に対して強固に立設される。
支柱１の支柱本体１３は、例えばアルミ合金による押出形材により形成され、図３（ａ）に示すように、断面が中空部を有する略矩形状をなして、その外側見付け面には、外側に開口するブラケット取付溝１３１が設けられている。
支柱本体１３の中空部の断面寸法は、補強金具１２の断面外周部の寸法と略同一寸法をしており、補強金具１２に対して支柱本体１３の中空部を装着することにより、支柱本体１３がバルコニーを形成するパラペットＰの上面に対して強固に立設される。なお、支柱本体１３の上端の小口面には、パネル上支持手段２を固定するための４つのビスホール１３ａが形成されている。
【００１２】
パネル上支持手段２は、図４（ａ）に示すように、支柱１の上端に載置される固定部分２１と、固定部分２１の外方に延設される延設部２２と、延設部２２の上面の長手方向に沿って上方に突出する係止片部２２１とからなる長尺部材として構成されており、支柱１の上端面に載置された固定部分２１が長ネジ等の固定手段ｎにより支柱本体１３のビスホール１３ａによってネジ止め固定されている。
【００１３】
ブラケット３は、図４（ｂ）に示すように、支柱１に固定するための垂直面を有する固定壁３１と、固定壁３１の外方所定高さ位置より外方に水平に延出される載置部３２とを備えており、載置部３２の外方先端には脱落防止片３２ａが形成されている。そして、支柱１の支柱本体１３に設けられたブラケット取付溝１３１に対して下方より固定壁３１が挿入されて支柱に対して取り付けられている。
パネル下支持手段４は、ブラケット３の載置部３２上面に載置される水平部４１と、水平部４１の内側が上方に屈曲して延設された垂直部４２とにより断面略Ｌ字状の長尺部材として形成されており、ブラケット３の脱落防止片３２ａに対してパネル下支持手段４の外側端が当接もしくは近接した状態でブラケット３の載置部３２に対してネジ止め固定されている。
ブラケット３に対してパネル下支持手段４が載置固定された状態で、ブラケット３の固定壁３１とパネル下支持手段４の垂直部４２との間には、後述するパネルユニット５のパネル下枠５３の下係止片５３２を挿入するのに十分な間隔が設けられている。
パネル下支持手段４の水平部４１の上面には、後述するパネルユニット５のパネル下枠５３の下面に当接する突条部４１ａが設けられている。
【００１４】
パネルユニット５は、図５（ａ）に示すように、ガラス板等のパネル５１の上辺及び下辺にパネル上枠５２及びパネル下枠５３を取り付けて形成されている。
パネル上枠５２は、下方に開口してパネル５１の上端縁が挿入されるガラス間口部５２１とガラス間口部５２１の内方面から内方に延び、さらに下方に屈曲して垂下する上係止片５２２とから形成され、ガラス間口部５２１の内方面の下端には、ビスホール５２１ａが設けられている。
パネル下枠５３は、上方に開口してパネル５１の下端縁が挿入されるガラス間口部５３１とガラス間口部５３１の内方面上端から内方に延び、さらに下方に屈曲して垂下する下係止片５３２とから形成され、ガラス間口部５３１の内面上方位置には、ビスホール５３１ａが設けられている。さらに、パネル下枠５３のガラス間口部５３１の外周面の外側端より垂下片５３３が設けられ、ガラス間口部５３１の下面には支持脚５３１ｂが設けられている。
【００１５】
そして、パネル５１の上端縁及び下端縁をそれぞれパネル上枠５２及びパネル下枠５３に挿入した状態で、パネル５１と上下のパネル上枠５２のガラス間口部５２１及びパネル下枠５３のガラス間口部５３１との間には、気密材ｓ１とバックアップ材ｂが配置されており、バックアップ材ｂの内周位置にシール剤ｓ２を注入することにより、パネルユニット５におけるシール構造が形成されている。
なお、パネルユニット５にシール剤ｓ２を注入する際には、パネル上枠５２及びパネル下枠５３のそれぞれに設けられているビスホール５２１ａ，５３１ａを利用して縦枠状の治具（図示はない。）によりパネルユニット５の仮止めがなされ、パネルユニット５の縦の小口部分にパネル上枠５２とパネル下枠５３とを連結する縦枠状の治具が装着されることにより、パネルユニット５を構成する各部材の位置関係を安定させてシール作業を確実、容易なものとすることができ、また、治具を装着した状態でパネルユニット５を搬送することができ、パネルユニット５のパネル５１の破損を防ぐことができる。
【００１６】
笠木６は、図４（ａ）に示すように、支柱１の上端間に亘って取り付けられたパネル上支持手段２と、パネル上支持手段２により保持されるパネルユニット５のパネル上枠５２とを覆い、その端部には、樹脂製の端部キャップ６１が装着されている。
【００１７】
（手摺りの施工方法）
次に、上記手摺りの施工方法について、図６を参考にして、説明する。
図６（ａ）は、手摺りを設置する躯体Ｂに対して、支柱１の立設位置に合わせて複数の固定金具１１を固定する行程を示している。
固定金具１１は、躯体Ｂに対して強固に固定され、支柱１にかかる外力に対して十分な強度を有すれば、特にその構成は限定されるものではないが、本実施形態では、製造等の容易性から所定の厚さ寸法を有するスチール等からなる板状部材として構成されており、例えばバルコニーを形成する構造部材である躯体部間に板状部材である固定金具１１の固定部１１１を挟み込んで、ボルト等により固定することで、躯体Ｂに対して強固に取り付けることができる。
【００１８】
図６（ｂ）は．躯体Ｂに固定された固定金具１１の支持部１１２に対して、補強金具１２を上方より装着して固定する行程を示している。
支柱１に対してその幅寸法の小さい固定金具１１と支柱本体１３との隙間を埋めるように補強金具１２を配置することで、固定金具１１に対する支柱本体１３のがたつきをなくし、支柱１全体の固定強度を向上させることができる。固定金具１１に対して補強金具１２が完全に装着されて後にビス等の固定手段ｎ（図３）によって両者が強固に一体化される。
【００１９】
図６（ｃ）は、補強金具１２に対して、支柱本体１３を上方より装着して固定する行程を示している。
支柱本体１３を固定するに際して、支柱本体１３のブラケット取付溝１３１にはブラケット３が予め挿入されて固定されており、支柱本体１３を固定することによって、ブラケット３は、支柱本体１３より外れることが防止される。
支柱本体１３に挿入される補強金具１２は、アルミ合金により形成され、断面が中空矩形の中空部の四隅に突片を有する形状であるので、支柱本体１３にはビスホール１３ａを形成する空間を形成することができ、また、補強金具１２と支柱本体１３との製造誤差を突片の変形等によって吸収することができるので、補強金具１２と支柱本体１３とをネジ等の固定手段により固定しなくても、強固な連結を可能としている。
【００２０】
図６（ｄ）は、支柱本体１３上端にパネル上支持手段２を取付け、支柱本体１３に固定されたブラケット３にパネル下支持手段４を取付ける行程を示している。
支柱本体１３の上端小口部には、ビスホール１３ａが形成されており（図３）、上端面に載置されたパネル上支持手段２の上方から長ネジ等の固定手段ｎで固定することで、支柱本体１３上端にパネル上支持手段２を取付けられる。また、図４（ｂ）に示すように、支柱本体１３に固定されたブラケット３の載置部３２上面には、複数の載置部３２間に亘ってパネル下支持手段４が載置され、上方よりネジ等の固定手段により固定されることで、支柱本体１３に対してパネル下支持手段４を取り付けることができる。
ブラケット３の載置部３２の外方端部の上面には脱落防止片３２ａが設けられているので、載置部３２に載置されたパネル下支持手段４の外方先端を脱落防止片３２ａに当接又は近接させることにより、見込み方向の位置決めが簡単にでき、また、パネル下支持手段４をブラケット３に固定する固定手段が緩んでも、パネル下支持手段４が外方に落下することを防止することができる。
【００２１】
図６（ｅ）は、パネル５１にパネル上枠５２及びパネル下枠５３が取り付けられてなるパネルユニット５を、パネル上支持手段２及びパネル下支持手段４を介して支柱１に取り付ける行程が示している。
パネル５１に対するパネル上枠５２及びパネル下枠５３の固定は、予め工場等で行われており、組み立てられたパネルユニット５が現場に搬送される。現場に搬送されたパネルユニット５のパネル上枠５２の上係止片５２２及びパネル下枠５３の下係止片５３２をパネル上支持手段２の係止片部２２１及びパネル下支持手段４の垂直部４２に係止することで、現場でのシール作業等ガラスを扱うための専門の技術を要することなく、比較的簡単に施工することができる。
【００２２】
図６（ｆ）は、パネル上支持手段２とパネル上支持手段２により保持されるパネルユニット５のパネル上枠５２とを笠木６によって覆う行程を示している。
パネルユニット５のパネル上枠５２の上係止片５２２とパネル上支持手段２の係止片部２２１とを係止してからビスでしっかりと固定するので、その後に笠木６で覆う際に、笠木６が取り付けやすく、また、笠木６を取り付けた後は、パネル上支持手段２に対するパネル上枠５２の係合部が外れることを防止することができる。
【００２３】
（他の実施形態）
以上、本発明の手摺りとして、パネルユニット５のパネル上枠５２が支柱１に固定されたパネル上支持手段２に支持される実施形態を説明したが、本発明の手摺りは、パネルユニット５を支持するパネル上支持手段２を所定高さに配置することができればよく、例えば図７に示す、バルコニーの壁面に支持されるものであってもよい。
例えば、パネル上支持手段２の端部が建物の壁面に近接する場合などには、パネル上支持手段２の端部を壁面に固定された壁面ブラケット７を介して所定高さに配置することができる。建物の壁面に固定される壁面ブラケット７は、例えば、壁面に固定するための垂直面部７１とパネル上支持手段２を載置固定する載置面部７２とから構成されており、壁面ブラケット７の垂直面部７１には、壁面に固定するためのネジ孔が垂直方向に長い長孔７１ａとして形成されている。
これにより、壁面に対して壁面ブラケット７の高さ位置の微調節が可能となり、例えば支柱１と併用する場合などにも、支柱１の高さに合わせてパネル上支持手段２の端部高さ位置を正確に決定することができる。
【００２４】
（パネルユニットの落下防止構造）
本件発明の実施形態に係る手摺りは、上記手摺りとしての構成を備えるとともに、以下のパネルユニットの落下防止構造を備えている。以下、図４（ｂ）を参考に説明する。
支柱１に取り付けられるブラケット３は、支柱本体１３のブラケット取付溝１３１に挿入される固定壁３１と固定壁３１の外方所定高さ位置より外方に水平に延出される載置部３２とを備えており、載置部３２の外側先端は上方に屈曲して、脱落防止片３２ａが設けられている。脱落防止片３２ａは、パネル下支持手段４の水平部４１の厚みと略同一の寸法を備えており、載置部３２に載置されたパネル下支持手段４は、その外方端が脱落防止片３２ａに当接されることで、ブラケット３に対して水平及び垂直方向ともに位置決めされるとともに、ブラケット３からの安易な脱落が防止されている。
【００２５】
ブラケット３に位置決めされた状態でネジ等の固定手段により固定されるパネル下支持手段４の水平部４１の上面には、パネルユニット５のパネル下枠５３の下面に当接する突条部４１ａが形成されるとともに、水平部４１の内側端より垂直部４２が立ち上がり、その上部は外方に傾斜してパネルユニット５のパネル下枠５３の下係止片５３２を垂直部４２の内方に係止する際のガイドとなっている。
【００２６】
一方、パネルユニット５のパネル下枠５３のガラス間口部５３１の下面には、パネル下支持手段４の水平部４１に載置される支持脚５３１ｂを有すると共に、ガラス間口部５３１を構成する外方壁が下方に垂設されて垂下片５３３が形成されており、垂下片５３３は、ブラケット３の外方端に形成された脱落防止片３２ａの上面に載置される載置面５３３ｂと脱落防止片３２ａの外方に位置される外方面５３３ａを備えている。
さらに、パネル下枠５３の下係止片５３２は、パネル下枠５３をパネル下支持手段４の水平部４１に載置した際に、パネル下支持手段４の垂直部４２の内方に位置すると共に、その下端がブラケット３の載置部３２に当接する高さ寸法に形成されている。
【００２７】
このように、パネル下枠５３の下係止片５３２がブラケット３に固定されたパネル下支持手段４の垂直部４２の内方に位置した状態でネジ等の固定手段により固定されるので、仮にネジ等が破損したり緩んだ場合であってもパネル下枠５３は垂直部４２に係止され、パネルユニット５が外方に落下することを防止できる。
さらに、ブラケット３及びパネル下支持手段４の上面にパネル下枠５３を載置することでパネル下支持手段４の水平部４１の外方先端部とパネル下枠５３の下面外方に形成された垂下片５３３の外方面５３３ａとにより、ブラケット３の外方端に形成された脱落防止片３２ａを挟み込むとともに、パネル下枠５３の垂下片５３３の載置面５３３ｂが脱落防止片３２ａの上面に載置される。また、パネル下枠５３の支持脚５３１ｂがパネル下支持手段４の水平部４１上に当接し、水平部４１の突条部４１ａがパネル下枠５３の下面に当接する。さらに、パネル下枠５３の下係止片５３２がパネル下支持手段４の垂直部４２の内面に当接するとともにブラケット３の載置部３２の上面に当接するように構成されている。
したがって、ブラケット３，パネル下支持手段４及びパネル下枠５３のそれぞれが垂直方向と水平方向で当接することとなり、ブラケット３，パネル下支持手段４及びパネル下枠５３が互いに水平方向及び垂直方向で力を直接伝達することができるので、各部材を連結固定するネジ等の固定手段に外力が集中することを防止することができる。
【００２８】
以上のように、支柱１に対してパネルユニット５を固定するためにブラケット、パネル下支持手段、及びパネルユニットのパネル下枠によって形成されるパネルの支持構造を、相互に垂直方向及び水平方向に関連を持たせた全体として一体形状となるように構成したので、ブラケットに対するパネルユニットの支持が安定し、各部材を連結するビス等の固定手段に対して係る負荷を軽減することができるとともに、例えばビス等の固定手段が破損した場合や緩みが生じた場合であっても、支柱からパネルユニットが落下することを防止することができる。
【符号の説明】
【００２９】
１        ：支柱
１１      ：固定金具
１１１    ：固定部
１１２    ：支持部
１２      ：補強金具
１３      ：支柱本体
１３ａ    ：ビスホール
１３１    ：ブラケット取付溝
２        ：パネル上支持手段
２１      ：固定部分
２２      ：延設部
２２１    ：係止片部
３        ：ブラケット
３１      ：固定壁
３２      ：載置部
３２ａ    ：脱落防止片
４        ：パネル下支持手段
４１      ：水平部
４１ａ    ：突条部
４２      ：垂直部
４３      ：パネル下枠
５        ：パネルユニット
５１      ：パネル
５２      ：パネル上枠
５２１    ：ガラス間口部
５２１ａ  ：ビスホール
５２２    ：上係止片
５３      ：パネル下枠
５３１    ：ガラス間口部
５３１ａ  ：ビスホール
５３１ｂ  ：支持脚
５３２    ：下係止片
５３３    ：垂下片
５３３ａ  ：外方面
５３３ｂ  ：載置面
６        ：笠木
６１      ：端部キャップ
６２      ：カバー部材
７        ：壁面ブラケット
７１      ：垂直面部
７１ａ    ：長孔
７２      ：載置面部
【図１】
0006660148.tif 000002
【図２】
0006660148.tif 000003
【図３】
0006660148.tif 000004
【図４】
0006660148.tif 000005
【図５】
0006660148.tif 000006
【図６】
0006660148.tif 000007
【図７】
0006660148.tif 000008